(57)【要約】【課題】本発明は、大きい範囲の画像を表示できる画像処理装置及びその画像処理方法を提供することを目的とする。【解決手段】本発明の画像処理装置は、スタート信号を生成するスタートモジュールと、スタート信号に応じて周囲環境の画像をキャプチャして少なくとも２つのオリジナル画像を形成する少なくとも２つのキャプチャユニットを有する画像キャプチャモジュールと、所定範囲に基づいて少なくとも２つのオリジナル画像を切り取って少なくとも２つの１次画像を形成する画像切取ユニット及び少なくとも２つの１次画像を整合して合成画像を形成する画像整合ユニットを含む画像処理モジュールと、合成画像を表示する表示モジュールと、を備える。本発明は、画像処理装置の画像処理方法も提供する。【選択図】図１
2011254461.tif 000002
【特許請求の範囲】
【請求項１】
スタート信号を生成するスタートモジュールと、
前記スタート信号に応じて周囲環境の画像をキャプチャして少なくとも２つのオリジナル画像を形成する少なくとも２つのキャプチャユニットを有する画像キャプチャモジュールと、
所定範囲に基づいて少なくとも２つの前記オリジナル画像を切り取って少なくとも２つの１次画像を形成する画像切取ユニット及び少なくとも２つの前記１次画像を整合して合成画像を形成する画像整合ユニットを含む画像処理モジュールと、
前記合成画像を表示する表示モジュールと、
を備えることを特徴とする画像処理装置。
【請求項２】
前記画像キャプチャモジュールは、周囲環境の画像をキャプチャして第一オリジナル画像、第二オリジナル画像及び第三オリジナル画像をそれぞれに形成する第一キャプチャユニット、第二キャプチャユニット及び第三キャプチャユニットを備えることを特徴とする請求項１に記載の画像処理装置。
【請求項３】
前記第一キャプチャユニット、前記第二キャプチャユニット及び前記第三キャプチャユニットは、装置の上端に同列に並べることを特徴とする請求項２に記載の画像処理装置。
【請求項４】
前記画像切取ユニットは、前記所定範囲内の第一オリジナル画像を切り取って第一の１次画像を形成し、前記所定範囲外の第二オリジナル画像を切り取って第二の１次画像を形成し、前記所定範囲外の第三オリジナル画像を切り取って第三の１次画像を形成することを特徴とする請求項１に記載の画像処理装置。
【請求項５】
前記画像整合ユニットは、前記第一の１次画像、前記第二の１次画像及び前記第三の１次画像を隙間がないように接続して合成画像を形成することを特徴とする請求項４に記載の画像処理装置。
【請求項６】
前記電子装置は、赤外線を発する赤外線放射装置をさらに備え、前記スタートモジュールは感知ユニットを備え、前記感知ユニットは、前記赤外線を感知することにより前記所定範囲を形成することを特徴とする請求項１に記載の画像処理装置。
【請求項７】
スタート信号を生成したか否かを判断するステップと、
前記スタート信号に応じて、複数のオリジナル画像をキャプチャするステップと、
複数の前記オリジナル画像を処理して合成画像を形成するステップと、
前記合成画像を表示するステップと、
を備えることを特徴とする画像処理方法。
【請求項８】
複数の前記オリジナル画像を処理するステップは、
所定範囲に基づいて複数の前記オリジナル画像を切り取って複数の１次画像を形成するステップと、
複数の前記１次画像を整合して合成画像を形成するステップと、
を備えることを特徴とする請求項７に記載の画像処理方法。
【発明の詳細な説明】
【技術分野】
【０００１】
本発明は、画像処理方法及びその装置に関するものである。
【背景技術】
【０００２】
携帯式電子装置は、音楽放送、ビデオ放送、撮像、チャット及びビデオ通信などのいろいろな機能を有し、その中のビデオ通信機能はますます人々の好感を得る。
【発明の概要】
【発明が解決しようとする課題】
【０００３】
しかし、従来の携帯式電子装置には撮像装置が設けられているが、前記撮像装置による撮像野の範囲が狭いので、表示する画面範囲も狭くなり、全面の視覚角度を表示することができなく、従って被写体所在環境をはっきり表示することができない。
【０００４】
本発明の目的は、前記課題を解決し、大きい範囲の画像を表示できる画像処理装置及びその画像処理方法を提供することである。
【課題を解決するための手段】
【０００５】
本発明に係る電子装置は、スタート信号を生成するスタートモジュールと、前記スタート信号に応じて周囲環境の画像をキャプチャして少なくとも２つのオリジナル画像を形成する少なくとも２つのキャプチャユニットを有する画像キャプチャモジュールと、所定範囲に基づいて少なくとも２つの前記オリジナル画像を切り取って少なくとも２つの１次画像を形成する画像切取ユニット及び少なくとも２つの前記１次画像を整合して合成画像を形成する画像整合ユニットを含む画像処理モジュールと、前記合成画像を表示する表示モジュールと、を備える。
【０００６】
本発明に係る画像処理方法は、スタート信号を生成したか否かを判断するステップと、前記スタート信号に応じて、複数のオリジナル画像をキャプチャするステップと、複数の前記オリジナル画像を処理して合成画像を形成するステップと、前記合成画像を表示するステップと、を備える。
【発明の効果】
【０００７】
本発明の電子装置は、画像キャプチャモジュールによって周囲環境の画像をキャプチャして複数のオリジナル画像を形成してから、画像処理モジュールによって複数のオリジナル画像を処理して合成画像を形成するので、表示モジュールによって大きい範囲の画像を表示することができる。
【図面の簡単な説明】
【０００８】
【図１】本発明の実施形態に係る電子装置の機能ブロック図である。
【図２】図１に示す電子装置の画像処理モジュールの作動原理を示す概略図である。
【図３】本発明の実施形態に係る画像処理方法のフローチャートである。
【発明を実施するための形態】
【０００９】
図１は、本発明の実施形態に係る電子装置１００の機能ブロック図である。前記電子装置１００は、スタートモジュール１０と、画像キャプチャモジュール２０と、メモリ３０と、画像処理モジュール４０と、表示モジュール５０と、を備える。前記電子装置１００は、ノートパソコンであってもよい。
【００１０】
前記スタートモジュール１０は、スタート信号を生成するために用いられる。前記スタートモジュール１０は、周囲環境を感知するか又はユーザーの操作又は他の方式によってスタート信号を生成する。本実施形態において、前記スタートモジュール１０は、前記電子装置１００の上に設けられる感知ユニット（図示せず）を備えている。前記感知ユニットは、赤外線感知ユニットであることができ、その感知信号が所定値以上である場合、スタート信号を生成する。
【００１１】
図２を一緒に参照すると、前記画像キャプチャモジュール２０は、前記スタート信号に応じて周囲環境の画像をキャプチャして、複数のオリジナル画像を形成する。前記画像キャプチャモジュール２０は、少なくとも２つの画像キャプチャユニットを備える。本実施形態において、前記画像キャプチャモジュール２０は、第一キャプチャユニット２１、第二キャプチャユニット２３及び第三キャプチャユニット２５を備える。前記第一キャプチャユニット２１、前記第二キャプチャユニット２３及び前記第三キャプチャユニット２５がキャプチャした画像は、それぞれ第一線により囲まれる第一オリジナル画像２１０、第二線により囲まれる第二オリジナル画像２３０及び第三線により囲まれる第三オリジナル画像２５０である。本実施形態において、前記第一キャプチャユニット２１、前記第二キャプチャユニット２３及び前記第三キャプチャユニット２５は、前記電子装置１００の上端に同列に並べ且つ同じ視角範囲を有するカメラであるが、これに限定されるものではない。
【００１２】
前記メモリ３０は、前記第一オリジナル画像２１０、前記第二オリジナル画像２３０、前記第三オリジナル画像２５０及び所定範囲３１を格納するために用いられる。本実施形態において、前記所定範囲３１は、ユーザーが必要によって設置することができ、又は前記電子装置１００に設置された実体から形成することもできる。例えば、前記電子装置１００の左右両側にそれぞれに１つの赤外線放射装置が設置されており、２つの前記赤外線放射装置から発する２つの赤外線が前記所定範囲３１を形成する。
【００１３】
前記画像処理モジュール４０は、前記所定範囲３１に基づいて複数のオリジナル画像を切り取り、且つ切り取った複数の画像を整合して合成画像４２０を形成する。前記画像処理モジュール４０は、画像切取ユニット４１及び画像整合ユニット４２を備える。
【００１４】
前記画像切取ユニット４１は、前記所定範囲３１に基づいて複数の前記オリジナル画像を切り取って複数の１次画像を形成する。前記画像切取ユニット４１は、異なる画像から異なる部分を切り取る。前記画像切取ユニット４１が複数のオリジナル画像に対する切取部分は、ユーザーが必要によって設置することができ、又は前記電子装置１００が出荷する前にメーカーが設置することもできる。本実施形態において、前記画像切取ユニット４１は、前記所定範囲３１内の第一オリジナル画像２１０を切り取って第一の１次画像４０１を形成し、前記所定範囲３１外の第二オリジナル画像２３０を切り取って第二の１次画像４０２を形成し、前記所定範囲３１外の第三オリジナル画像２５０を切り取って第三の１次画像４０３を形成する。
【００１５】
前記メモリ３０は、前記第一の１次画像４０１、前記第二の１次画像４０２及び前記第三の１次画像４０３を格納する。
【００１６】
前記画像整合ユニット４２は、複数の１次画像を隙間がないように接続して、大きい範囲の合成画像４２０を形成する。本実施形態において、前記第一キャプチャユニット２１、前記第二キャプチャユニット２３及び前記第三キャプチャユニット２５は、前記電子装置１００の上端に同列に並べているので、前記画像切取ユニット４１によって切り取って形成される第一の１次画像４０１、第二の１次画像４０２及び第三の１次画像４０３も同一水平位置に位置し、従って前記第一の１次画像４０１、前記第二の１次画像４０２及び前記第三の１次画像４０３を隙間がないように接続して整合すればよい。
【００１７】
前記メモリ３０は、前記合成画像４２０も格納する。
【００１８】
前記表示モジュール５０は、前記合成画像４２０を表示する。
【００１９】
図３は、本発明の実施形態に係る画像処理方法のフローチャートである。前記画像処理方法は、前記画像キャプチャモジュール２０を有する前記電子装置１００に応用される。
【００２０】
ステップＳ７０１：スタート信号を生成したか否かを判断する。スタート信号を生成すると、ステップＳ７０２に入る。スタート信号を生成しなければ、ステップＳ７０１に戻る。本実施形態において、前記電子装置１００にはボタンが設けられ、ユーザーがボタンを押圧して、スタート信号を生成する。他の実施形態において、前記電子装置１００には感知素子が設けられ、前記感知素子は感知信号が所定値より大きい時にスタート信号を生成する。
【００２１】
ステップＳ７０２：前記スタート信号に応じて、複数のオリジナル画像をキャプチャする。本実施形態において、複数のオリジナル画像は、第一オリジナル画像、第二オリジナル画像及び第三オリジナル画像を備える。
【００２２】
ステップＳ７０３：所定範囲に基づいて複数の前記オリジナル画像を切り取って複数の１次画像を形成する。本実施形態において、前記所定範囲内の第一オリジナル画像を切り取って第一の１次画像を形成し、前記所定範囲外の第二オリジナル画像を切り取って第二の１次画像を形成し、前記所定範囲外の第三オリジナル画像を切り取って第三の１次画像を形成する。
【００２３】
ステップＳ７０４：複数の１次画像を整合して合成画像を形成する。本実施形態において、前記第一の１次画像、前記第二の１次画像及び前記第三の１次画像を隙間がないように接続して合成画像を形成する。
【００２４】
ステップＳ７０５：前記合成画像を表示して、ユーザーは大きい範囲の環境画像を見ることができる。
【００２５】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２６】
１０  スタートモジュール
２０  画像キャプチャモジュール
２１  第一キャプチャユニット
２３  第二キャプチャユニット
２５  第三キャプチャユニット
３０  メモリ
３１  所定範囲
４０  画像処理モジュール
４１  画像切取ユニット
４２  画像整合ユニット
５０  表示モジュール
１００  電子装置
２１０  第一オリジナル画像
２３０  第二オリジナル画像
２５０  第三オリジナル画像
４０１  第一の１次画像
４０２  第二の１次画像
４０３  第三の１次画像
４２０  合成画像
【図１】
2011254461.tif 000003
【図２】
2011254461.tif 000004
【図３】
2011254461.tif 000005